(57)【要約】【課題】有機ＥＬディスプレイを備えるデジタルカメラにおいて、焼き付きを抑制する。【解決手段】デジタルカメラ１のＤＳＰ１０は、有機ＥＬディスプレイ２０にカメラの動作状態を示すアイコン画像を白色表示する。ＤＳＰ１０は、カメラ１の起動毎に、アイコン画像データのＶＲＡＭ２２における位置を変化させることで有機ＥＬディスプレイ２０の表示位置を変化させる。表示位置の変化は１画素程度としてユーザが表示位置の変化を認識できない程度とする。【選択図】図１
2005037843.tif 000002
【特許請求の範囲】
【請求項１】
自発光ディスプレイを備えたカメラであって、
前記自発光ディスプレイに前記カメラの動作状態を示すアイコンを特定色で表示する表示手段と、
前記アイコンの前記ディスプレイにおける表示位置を、ユーザが肉眼で検知不能な程度の微少量だけ変化させる制御手段と、
を有することを特徴とするカメラ。
【請求項２】
請求項１記載のカメラにおいて、
前記制御手段は、前記ディスプレイの駆動開始毎に、前記表示位置を変化させる
ことを特徴とするカメラ。
【請求項３】
請求項１記載のカメラにおいて、
前記表示手段は、前記アイコンを前記ディスプレイに表示するためのアイコン画像データを記憶する記憶手段を有し、
前記制御手段は、前記アイコン画像データの前記記憶手段における記憶位置を示すアドレスを変化させることで前記アイコンの前記ディスプレイにおける表示位置を変化させる
ことを特徴とするカメラ。
【請求項４】
請求項１記載のカメラにおいて、
前記制御手段は、前記アイコンの表示位置を１画素ずつ上下方向あるいは左右方向に変化させる
ことを特徴とするカメラ。
【請求項５】
請求項１記載のカメラにおいて、
前記制御手段は、前記アイコンの表示位置を、基準位置を中心とする半径ｒ（ｒはしきい値）の円の中で任意の画素数あるいは任意の方向にランダムに変化させる
ことを特徴とするカメラ。
【請求項６】
請求項１記載のカメラにおいて、
前記ディスプレイは有機ＥＬディスプレイである
ことを特徴とするカメラ。
【請求項７】
請求項１記載のカメラにおいて、
前記特定色は、白色である
ことを特徴とするカメラ。
【請求項８】
請求項１記載のカメラにおいて、さらに、
前記ディスプレイのトータル駆動時間を検出する手段と、
を有し、
前記制御手段、前記トータル駆動時間が所定時間を超えた場合に前記表示位置を変化させる
ことを特徴とするカメラ。
【請求項９】
自発光ディスプレイの表示制御装置であって、
前記ディスプレイに動作状態を示すアイコンを特定色で表示するドライバと、
前記アイコンの前記ディスプレイにおける表示位置を、ユーザが肉眼で検知不能な程度の微少量だけ変化させる制御回路と、
を有することを特徴とする表示制御装置。
【発明の詳細な説明】
【技術分野】
【０００１】
本発明はカメラ及び表示制御装置に関し、特に有機ＥＬディスプレイ等の自発光ディスプレイを備えるカメラ等に関する。
【背景技術】
【０００２】
近年、デジタルカメラは撮像素子の画素数の増大や低価格化、プリンタ等の周辺機器の開発と相俟って急速に普及している。デジタルカメラにおいては、ＣＣＤやＣＭＯＳ等の撮像素子により光信号を電気信号に変換し、得られた画像信号をメモリに記憶する。メモリに記憶された画像信号は読み出されてデジタルカメラの背面に設けられたディスプレイに表示される。ユーザがディスプレイに表示された画像を確認しながらシャッタを切ると、画像信号はデジタルカメラ内部のメモリあるいはデジタルカメラに装着された外部メモリに記録される。
【０００３】
デジタルカメラの背面に設けられるディスプレイは、現時点では液晶が主流であるが、液晶には視野角が狭い、バックライトを必要とする、輝度が大きくない等のデメリットがある。そこで、液晶に代わり、有機ＥＬディスプレイ等の自発光ディスプレイを用いることが提案されている。
【０００４】
有機ＥＬディスプレイの原理は公知であるが、簡単に説明すると以下のようである。すなわち、有機ＥＬ材料を薄膜、多層化し、陽極及び陰極で挟んで電圧を印加する。陽極からホール、陰極から電子が注入され、有機ＥＬ層で再結合して有機ＥＬ材料を励起し、励起された有機ＥＬ材料が基底状態に戻るときに光を発する。陽極あるいは陰極のいずれかを透明電極として、発光層からの光を外部に取り出す。有機ＥＬ材料としては金属錯体等が用いられ、発光ピークがＲ、Ｇ、Ｂの材料を形成することでフルカラーが実現される。
【０００５】
下記に示す従来技術には、有機ＥＬ素子をディスプレイに用いるカメラが開示されている。
【０００６】
【特許文献１】特開２０００−１８０９３４号公報
【発明の開示】
【発明が解決しようとする課題】
【０００７】
有機ＥＬディスプレイは多くの利点を有する一方、高寿命化が大きな技術課題となっている。Ｒ画素、Ｇ画素、Ｂ画素を構成する各有機ＥＬ材料は長時間駆動し続けると劣化し、その輝度が徐々に減少していく。したがって、ディスプレイの特定の部位を例えば白色で表示し続けた場合、当該部位の画素が劣化し、いわゆる焼き付きを生じてしまう。デジタルカメラ等の場合、ユーザに対して撮影モードや撮影可能枚数等、現在のカメラの状態をユーザに報知するために種々のアイコンをディスプレイに表示することが多く、これらのアイコンの部位では長期間の表示により焼き付きを生じることとなる。
【０００８】
図８には、デジタルカメラの背面に設けられたディスプレイ２０とディスプレイ２０の特定位置に表示されるアイコン３０が例示されている。アイコン３０は、例えばデジタルカメラの撮影モードを表し、ユーザが容易に視認可能なように白色表示される。ユーザがデジタルカメラの電源をＯＮし、ディスプレイ２０を駆動する毎に白色アイコン３０が同じ位置に表示されるため、このアイコンを表示するためのＲ画素、Ｇ画素、Ｂ画素が劣化してその輝度が低下していく。これらＲ画素、Ｇ画素、Ｂ画素からなる１つの画素２は全体としてその輝度が劣化するのみならず、Ｒ画素、Ｇ画素、Ｂ画素のそれぞれの寿命の違いに応じた劣化も示す。Ｂ画素の寿命が最も短い場合、当初は白色であったアイコン３０は徐々にＢの輝度が低下する結果、次第に黄色を帯びてくる。
【０００９】
本発明の目的は、デジタルカメラ等の表示装置に有機ＥＬディスプレイ等の自発光ディスプレイを用いた場合の、ディスプレイの焼き付きを抑制することにある。
【課題を解決するための手段】
【００１０】
本発明の自発光ディスプレイを備えたカメラは、前記自発光ディスプレイに前記カメラの動作状態を示すアイコンを特定色で表示する表示手段と、前記アイコンの前記ディスプレイにおける表示位置をユーザが肉眼で検知不能な程度の微少量だけ変化させる制御手段とを有する。焼き付きは、アイコンを表示するために駆動する画素を分散させることで抑制されるが、アイコンの表示位置変化がユーザに認識されるとユーザの操作性を低下させる。アイコンは動作状態を迅速かつ確実にユーザに報知するためのものであり、起動毎にその位置が変化したのではユーザはカメラの動作状態を迅速に把握することができない。本発明では、ユーザがその位置変化を検知できない範囲内でアイコンの表示位置を変化させる。
【００１１】
本発明において、前記制御手段は、前記ディスプレイの駆動開始毎に表示位置を変化させてもよい。駆動開始時とは、カメラの起動時や、一定時間の無操作により自動的に省電力モードに移行する場合の復帰時等である。
【００１２】
また、本発明において、前記表示手段は、前記アイコンを前記ディスプレイに表示するためのアイコン画像データを記憶する記憶手段を有し、前記制御手段は、前記ディスプレイの駆動開始毎に、前記アイコン画像データの前記記憶手段における記憶位置を示すアドレスを変化させることで前記アイコンの前記ディスプレイにおける表示位置を変化させてもよい。
【００１３】
また、本発明において、前記ディスプレイのトータル駆動時間を検出する手段を有し、
前記制御手段、前記トータル駆動時間が所定時間を超えた場合に前記表示位置を変化させてもよい。
【００１４】
また、本発明は、自発光ディスプレイの表示制御装置を提供する。この装置は、前記ディスプレイに動作状態を示すアイコンを特定色で表示するドライバと、前記アイコンの前記ディスプレイにおける表示位置を、ユーザが肉眼で検知不能な程度の微少量だけ変化させる制御回路とを有する。
【発明を実施するための最良の形態】
【００１５】
以下、図面に基づき本発明の実施形態について、デジタルカメラを例にとり説明する。
【００１６】
図１には、デジタルカメラ１の構成ブロック図が示されている。デジタルシグナルプロセッサ（ＤＳＰ）１０、インターフェース（Ｉ／Ｆ）１２、ＲＡＭコントローラ１４、ＲＡＭ１６、ＥＬコントローラ１８、有機ＥＬディスプレイ２０及び、ＶＲＡＭ２２及びＣＣＤ２４がバスを介して接続されている。ＣＣＤ２４で光信号を電気信号に変換し、ＤＳＰ１０は当該電気信号を処理して画像信号に変換し、ＥＬコントローラ１８を介して有機ＥＬディスプレイ２０に当該画像信号を表示する。有機ＥＬディスプレイ２０の有効画素数は任意であるが、例えば５００画素×２００画素とされる。
【００１７】
一方、ＤＳＰ１０は、デジタルカメラ１の撮影モードやフラッシュの有無、画質、撮影可能枚数等の動作状態を示すアイコン画像データをＶＲＡＭ２２に書込み、ＥＬコントローラ１８はこのＶＲＡＭ２２に書き込まれたアイコン画像データを読み出して有機ＥＬディスプレイ２０に表示する。ユーザは、有機ＥＬディスプレイ２０に表示されたアイコン画像を視認することで、デジタルカメラ１の現在の動作状態を把握することができる。アイコン表示は、本明細書において適宜ＯＳＤ（オンスクリーンディスプレイ）と称される。ユーザがデジタルカメラ１のシャッタを操作すると、画像信号はＲＡＭコントローラ１４からＲＡＭ１６に記録される。あるいは、画像信号はデジタルカメラ１内部のフラッシュＲＯＭに記録される。
【００１８】
図２には、デジタルカメラ１の電源ＯＮ状態において有機ＥＬディスプレイ２０の表示例が示されている。画面右下に撮影モードを表すアイコン３０が表示され、画面上部の中央から右に向けてフラッシュの有無を示すアイコン３２、画質を示すアイコン３４、撮影可能枚数を示すアイコン３６、撮影画像データの記録メディアを示すアイコン３８が白色で表示される。画面中央にはオートフォーカス用基準ウインドウ４０が表示される。
【００１９】
これらのアイコン画像は、ＶＲＡＭ２２のアドレスにそれぞれの画像データを書き込むことで表示されるが、本実施形態ではＶＲＡＭ２２のアドレス位置は固定ではなく、デジタルカメラ１の駆動開始毎に変化する。すなわち、あるタイミングｔ１でデジタルカメラ１の電源をＯＮして有機ＥＬディスプレイ２０を駆動したときに表示されるアイコン画像の位置Ｐ１と、別のタイミングｔ２でデジタルカメラ１の電源をＯＮして有機ＥＬディスプレイ２０を駆動したときに表示されるアイコン画像の位置Ｐ２は同一ではない。但し、位置Ｐ１と位置Ｐ２の相違は微少であり、ユーザが肉眼で識別できない程度に設定される。すなわち、ユーザはアイコン画像の位置はデジタルカメラ１を起動する毎に変化するものと認識するのではなく従来のアイコン画像と同様に固定であると認識する。このように、アイコン画像の位置をユーザが固定であると認識する程度に微小だけ変化させるのは、アイコン画像の位置にある有機ＥＬ素子の焼き付きを抑制すると同時に、ユーザの操作性を維持するためである。
【００２０】
図３には、ＶＲＡＭ２２のアドレス空間におけるあるアイコン画像（例えばアイコン３０）の原点位置の変化が示されている。デジタルカメラ１の電源がＯＮされると、ＤＳＰ１０は、まずアイコン画像の原点位置としてＰ１（０，０）を選択し、これを基準としてアイコン画像データを書き込む。デジタルカメラ１の電源がＯＦＦされ、その後電源がＯＮされた場合、あるいは一定時間の無操作によりオートパワーＯＦＦされ、ユーザからの操作により復帰した場合、ＤＳＰ１０は当該アイコン画像の原点位置として下方向に２だけずれたＰ２（０，−２）を選択し、これを基準としてアイコン画像データを書き込む。ＶＲＡＭ２２におけるアドレス値の差分値２は、有機ＥＬディスプレイ２０の１画素分に相当するものとすると、位置Ｐ２を基準とするアイコン画像は、位置Ｐ１を基準とするアイコン画像に対して有機ＥＬディスプレイ２０上において下方向に１画素だけずれた位置に表示される。
【００２１】
再びデジタルカメラ１の電源がＯＦＦされ、その後電源がＯＮされた場合、あるいはオートパワーオフから復帰した場合、ＤＳＰ１０は当該アイコン画像の原点位置として左方向に２だけずれたＰ３（−２，−２）を選択し、これを基準として当該アイコン画像データを書き込む。位置Ｐ３を基準とするアイコン画像は、位置Ｐ２を基準とするアイコン画像に対して有機ＥＬディスプレイ２０上において左方向に１だけずれた位置に表示される。
【００２２】
再びデジタルカメラ１の電源がＯＦＦされ、その後電源がＯＮされた場合、あるいはオートパワーオフから復帰した場合、ＤＳＰ１０は当該アイコン画像の原点位置として上方向に２だけずれたＰ４（−２，０）を選択し、これを基準として当該アイコン画像データを書き込む。位置Ｐ４を基準とするアイコン画像は、位置Ｐ３を基準とするアイコン画像に対して有機ＥＬディスプレイ２０上において上方向に１だけずれた位置に表示される。
【００２３】
再びデジタルカメラ１の電源がＯＦＦされ、その後電源がＯＮされた場合、あるいはオートパワーオフから復帰した場合、ＤＳＰ１０は当該アイコン画像の原点位置として右方向に２だけずれたＰ１（０，０）を再び選択し、これを基準として当該アイコン画像データを書き込む。位置Ｐ１を基準とするアイコン画像は、位置Ｐ４を基準とするアイコン画像に対して有機ＥＬディスプレイ２０上において右方向に１だけずれた位置に表示される。
【００２４】
このように、デジタルカメラ１の起動の度にアイコン画像の位置をＰ１→Ｐ２→Ｐ３→Ｐ４→Ｐ１と巡回的に変化させることで、アイコン画像を表示する画素が変化し、アイコン画像の境界に位置する画素が変化する。アイコン画像を表示するために駆動される有機ＥＬ素子が分散されることで境界がぼやけ、焼き付きが有効に抑制される。さらに、白色であるアイコン画像を表示するための画素が変化するため、有機ＥＬ素子のうちＢ画素のみの輝度が劣化してその輝度が低下する事態も抑制され、白色アイコン画像の黄色への変色も抑制される。
【００２５】
図４及び図５には、本実施形態の処理フローチャートが示されている。まず、ＤＳＰ１０は、デジタルカメラ１の電源がＯＮされたか否か、あるいはオートパワーＯＦＦから復帰したか否かを判定する（Ｓ１０１）。デジタルカメラ１が起動された場合、ＤＳＰ１０は各アイコン画像を表示させるためにアイコン画像データをＶＲＡＭ２２に書き込むが、この際、その表示座標（ＯＳＤ表示座標）の原点をシフトさせる（Ｓ１０２）。なお、表示座標の原点は、全てのアイコン画像に共通する共通原点でもよく、各アイコン画像に割り当てられた各アイコン画像毎の原点でもよい。そして、ＥＬコントローラ１８は、ＶＲＡＭ２２の画像データを読み出して有機ＥＬディスプレイ２０にアイコン画像を表示する（Ｓ１０３）。Ｓ１０２で原点位置を起動毎にシフトさせるため、アイコン画像の表示位置は起動毎に微小量だけ変化する。
【００２６】
図５には、図４におけるＳ１０２の詳細フローチャートが示されている。まず、ＤＳＰ１０は、デジタルカメラ１の起動毎にカウンタＣを１ずつインクリメントする（Ｓ２０１）。なお、初期値はＣ＝０とする。次に、Ｃ＝１であるか否かを判定する（Ｓ２０２）。Ｃが１であれば、アイコン画像の原点位置をデフォルトの位置（ｘ、ｙ）とする（Ｓ２０３）。一方、Ｃ＝１でない場合、次にＣ＝２であるか否かを判定する（Ｓ２０４）。Ｃ＝２であれば、ＤＳＰ１０はアイコン画像の原点位置を（ｘ、ｙ−２）とする（Ｓ２０５）。Ｃ＝２でない場合、次にＣ＝３であるか否かを判定する（Ｓ２０６）。Ｃ＝３であれば、ＤＳＰ１０はアイコン画像の原点位置を（ｘ−２，ｙ−２）とする（Ｓ２０７）。Ｃ＝３でない場合、Ｃ＝４であることになり、ＤＳＰ１０はアイコン画像の原点位置を（ｘ−２、ｙ）とし（Ｓ２０８）、Ｃを０にリセットする（Ｓ２０９）。
【００２７】
図６には、以上の処理によるアイコン画像３０の表示位置の変化が示されている。なお、上述したようにアイコン画像３０の位置はユーザが肉眼で視認できない程度に変化するため、図６ではアイコン画像３０の変化が誇張して示されていることに留意されたい。図６（Ａ）はＣ＝１の場合の画面例であり、アイコン画像３０は画面右下のデフォルト位置に表示される。図６（Ｂ）はＣ＝２の場合の画面例であり、アイコン画像３０はデフォルト位置から下方向に１画素だけずれた位置に表示される。図６（Ｃ）はＣ＝３の場合の画面例であり、アイコン画像３０は図６（Ｂ）の位置から左方向に１画素だけずれた位置に表示される。図６（Ｄ）はＣ＝４の場合の画面例であり、アイコン画像３０は図６（Ｃ）の位置から上方向に１画素だけずれた位置に表示される。図６（Ｄ）の状態から再度デジタルカメラ１の電源がＯＮされると、図６（Ａ）の状態に戻り、アイコン画像３０はデフォルト位置に表示される。
【００２８】
本実施形態では、アイコン画像の表示位置を上下左右方向に１画素ずつ時計回りに順次ずらせることで焼き付きを抑制している。しかしながら、アイコン画像の表示位置の変化の態様は任意である。アイコン画像の原点位置の変化を移動ベクトルとして表現すると、移動ベクトルはユーザが認識できない程度の範囲内でランダムに選択できる。
【００２９】
図７には、アイコン画像３０を例にとる移動ベクトルの選択説明図が示されている。アイコン画像３０の基準位置を中心とする移動ベクトル１００の大きさｒは、ユーザが位置の変化を肉眼で識別できる大きさｒｌｉｍを上限として０≦ｒ≦ｒｌｉｍの範囲内でランダムに選択され、回転角θは０≦θ≦２πの範囲内でランダムに選択される。移動ベクトルの大きさｒを固定し、回転角θ、すなわち移動方向のみをランダムに選択してもよい。
ｒｌｉｍは、人間の視覚分解能及び有機ＥＬディスプレイ２０の解像度に応じて設定される。
【００３０】
また、本実施形態では、有機ＥＬディスプレイ２０に表示される全てのアイコン画像の表示位置を変化させるとして説明したが、アイコン画像のうちのいずれかの表示位置のみを変化させてもよい。例えば、図２においてアイコン画像３０の表示位置のみを起動毎に変化させてもよい。複数のアイコン画像のいずれの表示位置を変化させるかは、当該アイコンの表示面積及び表示時間に応じて決定してもよい。例えば、表示面積が比較的大きく、かつ、デジタルカメラ１の動作状態から判断して表示頻度の高いアイコン画像について表示位置を変化させる等である。
【００３１】
また、本実施形態では、デジタルカメラ１の起動毎にパラメータＣを１ずつインクリメントしているが、デジタルカメラ１の総駆動時間をタイマ等で検出し、駆動時間が一定時間に達した時点でパラメータＣのカウントを開始してもよい。すなわち、一定時間まではＣ＝１に固定してアイコン画像の表示位置をデフォルト位置に固定し、一定時間経過した後にＣのカウントを開始してアイコン画像の表示位置をデフォルト位置から順次変化させる。
【００３２】
また、本実施形態では、デジタルカメラ１の起動毎にアイコン画像の表示位置を変化させているが、あるタイミングで起動された後、起動からの駆動時間に応じてアイコン画像の表示位置を変化させてもよい。例えば、起動から１分後にＣ＝１からＣ＝２にインクリメントして表示位置を下方向に１画素だけずらし、２分後にＣ＝２からＣ＝３にインクリメントして表示位置を左方向に１画素だけずらす等である。この場合でも、ユーザはアイコン画像の表示位置変化を認識することはない。
【００３３】
本実施形態では、有機ＥＬディスプレイ２０を備えるデジタルカメラ１の場合について説明したが、自発光ディスプレイを備える任意の機器に適用され得る。
【図面の簡単な説明】
【００３４】
【図１】実施形態の構成ブロック図である。
【図２】画面表示例を示す説明図である。
【図３】ＶＲＡＭのアドレス空間及び画像データ書込位置説明図である。
【図４】実施形態の処理フローチャートである。
【図５】実施形態の処理フローチャートである。
【図６】アイコン画像（ＯＳＤ）の表示位置変化説明図である。
【図７】表示位置変化を規定する移動ベクトル説明図である。
【図８】デジタルカメラのディスプレイ説明図である。
【符号の説明】
【００３５】
１  デジタルカメラ、１０  ＤＳＰ、２０  有機ＥＬディスプレイ、３０〜３８  アイコン画像。
【図１】
2005037843.tif 000003
【図２】
2005037843.tif 000004
【図３】
2005037843.tif 000005
【図４】
2005037843.tif 000006
【図５】
2005037843.tif 000007
【図６】
2005037843.tif 000008
【図７】
2005037843.tif 000009
【図８】
2005037843.tif 000010